(57)【要約】【課題】使用者が自由に着脱可能な操作部において、使用者が従来と比べ目盛等の表示を認識しやすい車両用表示装置を提供する。【解決手段】車両用表示装置は、操作パネル１２、操作部１６、位置判断部、算出部及び死角制御部とを備える。操作パネルは、画像６０を表示する表示面１１を有し、使用者が表示面をタッチすることによる静電容量の変化を検出する。操作部は、静電容量を変化させる電極を有し表示面に着脱可能に取り付けられる。位置判断部は静電容量の変化値から操作部の取り付け位置を判断する。算出部は、操作部の取り付け位置から、表示面上で操作部により使用者の死角６６となる死角領域６５を算出する。死角制御部は、操作部を操作することで選択した操作内容を報知する画像を操作画像情報６３とし、操作画像情報のうち少なくとも一部については死角領域を避けて表示する。【選択図】図１２
2018004493.tif 000002
【特許請求の範囲】
【請求項１】
車両に搭載された車両用表示装置（１０）において、
画像（６０）を表示する表示面（１１）を有し、前記表示面を使用者がタッチすることによる静電容量の変化を検出することで操作可能な操作パネル（１２）と、
前記表示面に着脱可能な接続部（３４）および前記静電容量を変化させる電極（３０、３２）を有し、前記表示面に取り付けられる操作部（１６）と、
前記表示面のうち前記静電容量の変化が生じた位置に基づき、前記操作部の取り付け位置を判断する位置判断部（２１）と、
前記位置判断部により判断された取り付け位置に応じて、前記表示面上で前記操作部により前記使用者の死角（６６）となる死角領域（６５）を算出する算出部（２２）と、
前記画像のうち、前記操作部を操作することで選択した操作内容を報知する画像を操作画像情報（６３）とし、前記操作画像情報のうち少なくとも一部については前記死角領域を避けて表示する死角制御部（２４）と、を備える車両用表示装置。
【請求項２】
前記電極の特徴を検出する電極検出部（２０）と、
前記電極検出部の検出結果に基づき、前記表示面上で前記操作部により操作可能な複数の操作内容のうちの一つを前記操作部に設定する設定部（２８）と、を備える請求項１に記載の車両用表示装置。
【請求項３】
前記表示面は、少なくとも１つ以上の区画に区分されており、
前記操作部が前記表示面のどの前記区画に取り付けられたかを前記位置判断部の判断結果に基づいて推定する位置推定部（２９）と、
前記位置推定部の推定結果と前記区画ごとにあらかじめ決められた前記操作内容とから、前記操作部の前記操作内容を設定する設定部（２８）と、を備える請求項１に記載の車両用表示装置。
【請求項４】
前記死角制御部は、前記操作画像情報の全体について前記死角領域を避けて表示する請求項１乃至３のいずれか１つに記載の車両用表示装置。
【請求項５】
前記操作部が複数個取り付けられる場合、それぞれの前記操作部の前記死角領域は、複数の前記操作部により生じる死角を合わせた領域として前記算出部により算出される請求項１乃至４のいずれか１つに記載の車両用表示装置。
【請求項６】
前記表示面に取り付けられた複数の前記操作部のうち、前記使用者側に配置された前記操作部を第一操作部（１６ａ）、前記第一操作部の隣に取り付けられ、前記使用者から見て前記第一操作部の奥側に取り付けられた前記操作部を第二操作部（１６ｂ）とすると、前記算出部により算出される前記第二操作部の前記死角領域は、前記第二操作部による死角に加え、前記第一操作部による死角を合わせた領域として算出される請求項５に記載の車両用表示装置。
【請求項７】
前記画像のうち前記操作部の周囲に複数並べて表示される画像を周囲画像情報（６０ａ）とすると、
前記周囲画像情報は前記操作部に対し前記死角領域を挟んだ位置に表示され、
複数の前記周囲画像情報のそれぞれに対応する方向へ前記操作部から伸び、且つ、前記死角領域をまたいだ目盛画像（６４）が表示される請求項１乃至６のいずれか１つに記載の車両用表示装置。
【請求項８】
前記画像のうち前記操作部の周囲に複数並べて表示される画像を周囲画像情報（６０ａ）とすると、
前記周囲画像情報が前記死角領域に重なって表示された場合、前記周囲画像情報のうち前記使用者により選択された前記操作画像情報は、前記操作部に対して前記死角領域を挟んだ位置に表示位置が変更される請求項１乃至６のいずれか１つに記載の車両用表示装置。
【発明の詳細な説明】
【技術分野】
【０００１】
本発明は、車両に搭載された車両用表示装置に関する。
【背景技術】
【０００２】
車両には、オーディオ装置や空調装置といった各種装置が搭載されている。前述の各種装置を操作するために、運転者および助手席者から届く位置に表示装置が設置されている。従来の表示装置として、例えば、特許文献１に記載されたものが知られている。特許文献１の表示装置は、画像が表示される表示面を備える操作パネルを有している。表示面には、人の指等が接触している時と、していない時との静電容量の変化から接触操作をしたか否かを検出する静電容量式タッチ表示面が採用されている。さらに、表示面上には、回転操作されるダイヤルスイッチや押動操作されるプッシュスイッチといった操作部が設置されている。前述の操作部には電極が具備されている。ダイヤルスイッチが回転操作されると、表示面上の電極の位置が回転操作とともに回転変化する。プッシュスイッチが押動操作されると、表示面上と電極の距離が変化する。操作パネルは、前述の位置や距離の変化に伴う静電容量の変化を検出することで、使用者による操作部の操作を検出する。プッシュスイッチの指令内容の表示や、ダイヤルスイッチの回転操作量を表す目盛表示等の操作内容は、表示面に画像として操作部の周囲に表示される。
【０００３】
しかしながら、前述の操作部は表示面上にあらかじめ固定されており、使用者が使いやすい位置に移動させることは不可能であった。そのため、従来、操作部に吸盤や磁石を備え付けることで、表示面の操作領域内のどこにでも、使用者が自由に着脱することが可能な操作部が設置された表示装置が提案されている。
【先行技術文献】
【特許文献】
【０００４】
【特許文献１】国際公開第２０１５／１７４０９２号
【発明の概要】
【発明が解決しようとする課題】
【０００５】
車両に搭載された表示装置を使用する使用者は、車室内において、運転席または助手席といった決まった位置から表示装置を操作する。そのため、表示装置を操作するときの使用者の表示面に対する視線角度はあまり変化しない。したがって、操作部の位置が使用者により選択可能な従来技術では、操作部の取り付け位置によっては、表示面に表示された操作部の目盛等が使用者から見た操作部の死角に表示される。そのような場合、使用者は操作部の目盛等を認識しにくいという問題があった。
【０００６】
本発明は、以上説明した問題に鑑みてなされたものであって、その目的は、使用者が自由に着脱可能な操作部において、使用者が従来と比べ目盛等の表示を認識しやすい車両用表示装置を、提供することである。
【課題を解決するための手段】
【０００７】
ここに開示される発明は上記目的を達成するために以下の技術的手段を採用する。なお、特許請求の範囲およびこの項に記載した括弧内の符号は、後述する実施形態に記載の具体的手段との対応関係を示すものであって、発明の技術的範囲を限定するものではない。
【０００８】
本発明は、車両に搭載された車両用表示装置（１０）において、画像（６０）を表示する表示面（１１）を有し、表示面を使用者がタッチすることによる静電容量の変化を検出することで操作可能な操作パネル（１２）と、表示面に着脱可能な接続部（３４）および静電容量を変化させる電極（３０、３２）を有し、表示面に取り付けられる操作部（１６）と、表示面のうち静電容量の変化が生じた位置に基づき、操作部の取り付け位置を判断する位置判断部（２１）と、位置判断部により判断された取り付け位置に応じて、表示面上で操作部により使用者の死角（６６）となる死角領域（６５）を算出する算出部（２２）と、画像のうち、操作部を操作することで選択した操作内容を報知する画像を操作画像情報（６３）とし、操作画像情報のうち少なくとも一部については死角領域を避けて表示する死角制御部（２４）と、を備える車両用表示装置である。
【０００９】
このような発明に従えば、操作部の取り付け位置に応じて、表示面上で操作部により使用者の死角となる死角領域を算出する。そして、算出された結果をもとに、画像のうち使用者に操作内容を報知する操作画像情報のうち少なくとも一部については、死角領域を避けた位置に表示する制御を行う。そのため、操作部により死角が生じる場合においても、選択した選択操作内容は使用者が認識可能な領域に表示されることとなり、従来と比べ使用者は必要な情報を認識しやすくなる。
【図面の簡単な説明】
【００１０】
【図１】本発明の第１実施形態において、表示装置の車両搭載位置を示す模式図である。
【図２】図１における表示装置の操作パネルに表示された画像と着脱可能な操作部が取り付けられた状態を示す表示装置の正面図である。
【図３】本発明の第１実施形態における操作部の正面図である。
【図４】図３に示す操作部のＩＶ―ＩＶ断面図である。
【図５】本発明の第１実施形態において、操作部の押し下げ電極部が一つの電極により形成されている場合の一例を示す図４におけるＶ−Ｖ断面図である。
【図６】図５における操作部の押し下げ電極部の変形例を表す断面図である。
【図７】図５における操作部の押し下げ電極部の変形例を表す断面図である。
【図８】図１に示す表示装置のブロック図である。
【図９】図１の状態において、使用者が表示パネルを見た際に操作部により死角が生じる場合の一例を示す表示装置の斜視図である。
【図１０】本発明の第１実施形態において、操作部による死角領域を算出し操作画像情報が表示されるまでのフローチャートである。
【図１１】本発明の第１実施形態において、操作部に設定される機能との対応関係を示す電極型の異なる操作部の斜視図である。
【図１２】本発明の第１実施形態において、周囲画像情報の表示制御の一例を示す表示装置の正面図である。
【図１３】本発明の第２実施形態において、あらかじめ分けられた区画に操作部が取り付けられた表示面の正面図にブロック図を加えた図である。
【図１４】本発明の第３実施形態において、操作部が近接して取り付けられた場合に一方の操作部の死角が他方の操作部の周囲画像情報の表示に影響している場合の一例を示す表示装置の正面図である。
【図１５】本発明の第３実施形態において、操作部が近接して取り付けられた場合に一方の操作部の死角と他方の操作部の死角とを考慮して周囲画像情報の表示制御を行った一例を示す表示装置の正面図である。
【図１６】本発明の第３実施形態において、複数の操作部が近接して取り付けられた場合に死角を考慮して周囲画像情報が表示されるまでのフローチャートである。
【図１７】本発明のその他の実施形態において、周囲画像情報の表示制御の一例を示す表示装置の正面図である。
【図１８】本発明のその他の実施形態において、周囲画像情報の表示制御の一例を示す表示装置の正面図である。
【図１９】本発明のその他の実施形態において、周囲画像情報の表示制御の一例を示す表示装置の正面図である。
【発明を実施するための形態】
【００１１】
以下、図面を参照しながら本発明を実施するための形態を、複数の形態を用いて説明する。
【００１２】
なお、各実施形態において対応する構成要素には同一の符号を付すことにより、重複する説明を省略する場合がある。各実施形態において構成の一部分のみを説明している場合、当該構成の他の部分については、先行して説明した他の実施形態の構成を適用することができる。また、各実施形態の説明において明示している構成の組み合わせばかりではなく、特に組み合わせに支障が生じなければ、明示していなくても複数の実施形態の構成同士を部分的に組み合わせることができる。
【００１３】
（第１実施形態）
図１に示すように、車室内の前方において、右側に運転席１が配置され、左側に助手席２が配置されている。そして、運転席１の前方にはハンドル３が配置されている。運転席１およびハンドル３は左側に配置されてもよい。車室内の前方に搭載されたインストルメントパネル４には、空調装置５、ナビゲーション装置６及びオーディオ装置７といった各種装置が取り付けられている。前述の各種装置の操作及び情報を表示するために、表示装置１０が設置されている。表示装置１０には、画像６０を車室内に向けて表示する表示面１１を有する操作パネル１２が嵌め込まれている。表示面１１には画像６０として、例えば、オーディオ装置７が有する楽曲情報及び音量情報が表示される。あるいは、ナビゲーション装置６の目的地情報及び自車両の位置情報等が表示される。
【００１４】
操作パネル１２は、運転席１または助手席２に着座している人といった使用者が手で直接触れることで操作可能な表示面１１、つまり静電容量式タッチ表示面を有する。この表示面１１は投影型である。投影型の表示面１１は、例えば、透明フィルム部材やガラス基盤の表面に、マトリックス状（網目状）に配置された透明な静電容量式電極部１３が接合されて形成されている。また、表示面１１を保護するための透明薄肉の樹脂フィルム（図示しない）が静電容量式電極部１３の使用者側に貼り付けられている。本実施形態の表示面１１は樹脂フィルムの表面に該当する。
【００１５】
表示装置１０は運転席１または助手席２に着座した人の手の届く範囲内に設置されている。具体的には、インストルメントパネル４のうち運転席１と助手席２の間に設置される。運転席１と助手席２の間に設置することで、車両走行中であっても運転者は着座姿勢を変更せずに、また、車両走行運転時の視線を大きく動かすことなく表示装置１０を確認し、操作することができる。
【００１６】
表示面１１は、静電容量式電極部１３と使用者の操作時の指との間でコンデンサを形成し、静電容量の変化を発生させるようになっている。前述のように、表示面１１や樹脂フィルムは、透明部材から形成されていることから、表示装置１０における画像６０は使用者に透過して視認されるようになっている。使用者が表示面１１に指を近づけたとき（例えば５ｍｍ程度）または指でタッチ操作したときの指の操作位置に応じて静電容量の変化が生じる。さらに、表示面１１に指を近づけた状態またはタッチ操作した状態で、表示面１１に対し平行に指を移動操作させると、指の移動操作に応じて静電容量式電極部１３の静電容量の変化領域も移動する。指の移動によって変化した静電容量の絶対値を静電容量値として、静電容量の変化領域の形状を領域形状として操作パネル１２に形成された静電容量検出部１４が検出する。
【００１７】
図２のように表示面１１には道路情報が表示されるとともに、タッチボタン１５として総称される、第一タッチボタン１５ａ、第二タッチボタン１５ｂが画像６０として表示される。タッチボタン１５は、表示面１１のうちタッチボタン１５ａ、ｂが表示されている部分を直接、手で触れることで操作可能なボタンである。そのため、タッチボタン１５はソフトキーともいえる。第一タッチボタン１５ａは「メニュー」を表示させるためのボタンであり、第二タッチボタン１５ｂは、元の表示に戻させる「戻る」ボタンである。なお、タッチボタン１５の種類と数は任意で変更可能である。表示面１１にはその他に、操作部１６が、画像６０としてではなく表示面１１に取り付けられる形で操作パネル１２に設置されている。
【００１８】
操作部１６の取り付け位置は固定ではなく、使用者による着脱ができる。そのため、使用者は、表示面１１の好きな位置に操作部１６の位置を動かすことが可能である。表示面１１に何も取り付けられていない状態から操作部１６が取り付けられると、操作部１６と静電容量式電極部１３との間で静電容量に変化が生じる。また、操作部１６が取り付けられた状態で操作部１６を使用者が操作した場合にも、静電容量の変化が生じる。この変化後の静電容量の絶対値、つまり、操作部１６が取り付けられた状態あるいは操作部が操作された時の静電容量の絶対値を、静電容量検出部１４が静電容量値として検出する。つまり、使用者は表示面１１に直接触れて操作することで表示装置１０を操作することに加えて、操作部１６を操作することによっても表示装置１０を操作することが可能である。操作部１６によって実行可能な操作内容は、表示面１１に表示されるタッチボタン１５と同一であってもよく、異なっていてもよい。
【００１９】
第１実施形態における操作部１６は、図３のように平面視では円形状の円筒である。操作部１６の中央部分にはプッシュスイッチ１７が配置されている。プッシュスイッチ１７は押しボタンであり、使用者により押し下げられることによって、使用者からの押し下げ操作を受け付ける。また、プッシュスイッチ１７の周囲には平面視で円環形状のダイヤルスイッチ１８が配置されている。ダイヤルスイッチ１８は、回転ダイヤルであり、表示面１１に対して、時計回りおよび反時計回りに回転可能である。ダイヤルスイッチ１８は使用者に回転されることによって、使用者からの回転操作を受け付ける。画像６０のうち、操作部１６の周囲には、操作部１６の機能、操作量及び操作内容を示す周囲画像情報６０ａが表示される。周囲画像情報６０ａには、数字画像６１及び指示画像６２が含まれる。例えば、ダイヤルスイッチ１８では、物理的操作量を表す複数の数字画像６１がダイヤルスイッチ１８の円環形状に沿って弧状に並べて表示される。また、プッシュスイッチ１７のオン／オフ等の指示画像６２はプッシュスイッチ１７の上側に表示される。
【００２０】
操作部１６の構成を図４を用いて説明する。以下の説明において、上下方向は図４に示す位置関係を基準とする。なお、図４でいう上下方向とは、図１の車両に操作部１６が搭載された状態においては車両の前後方向と一致する。前述のように表示面１１の使用者側には、表示面１１を保護するための透明薄肉の樹脂フィルム（図示しない）が設けられている。操作部１６は、表示面１１に取り付けられる。操作部１６は、プッシュスイッチ１７、ダイヤルスイッチ１８、回転電極部３０、連結部３１、押し下げ電極部３２、ハウジング３３及び接続部３４を含む。接続部３４はハウジング３３に形成され、操作部１６を表示面１１に取り付ける。ハウジング３３はプッシュスイッチ１７やダイヤルスイッチ１８を支持している。プッシュスイッチ１７とダイヤルスイッチ１８とにはそれぞれ、押し下げ電極部３２と回転電極部３０とが取り付けられている。回転電極部３０は連結部３１を介してダイヤルスイッチ１８に取り付けられている。押し下げ電極部３２と回転電極部３０とは、使用者の操作を操作パネル１２に伝達する。
【００２１】
ハウジング３３は、基部４０、外側支持部４１、内側支持部４２を含む。接続部３４は基部４０に取り付けられている。なお、ハウジング３３は、非伝導性材料、例えば、プラスチック等によって形成されている。
【００２２】
基部４０は円形平板状に形成されている。基部４０の縁は、回転電極部３０の基部中心点４３から遠い側に位置する端部よりも外側に位置する。そのため、回転電極部３０は後述する外側支持部４１と内側支持部４２の間に保持される。また、基部４０の縁は後述するダイヤルスイッチ１８の外側壁部３６よりも内側に位置している。基部４０の下面には接続部３４として、例えば吸盤のような、表示面１１への取り付けと取り外しが使用者によって容易に行える部材が配置されている。接続部３４は基部４０の下面において、押し下げ電極部３２の縁部と回転電極部３０の基部中心点４３側の端部との間に配置されている。つまり、接続部３４は正面視で押し下げ電極部３２及び回転電極部３０と重ならない領域に配置されている。接続部３４としては、吸盤以外に磁石や着脱可能な接着剤等を用いてもよい。
【００２３】
外側支持部４１は、基部４０の外側縁部に環状に立設された円筒部４８と、円筒部４８の上部から基部中心点４３側に基部４０に平行に張り出した平板リング部４９とを有する。外側支持部４１は、平板リング部４９の内側縁部において、ダイヤルスイッチ１８の内側壁部３７を回転可能に支えている。
【００２４】
内側支持部４２は、基部４０において、外側支持部４１よりも内側に環状に立設される。内側支持部４２は、内側面において後述するプッシュスイッチ１７の突起部３９を上下方向に移動可能に支持している。この構成によって、プッシュスイッチ１７は押し下げ可能である。ダイヤルスイッチ１８は、ダイヤル上部３５、外側壁部３６及び内側壁部３７を含む。ダイヤル上部３５は、平板リング形状を有し、ダイヤルスイッチ１８の使用者側に面する。外側壁部３６は、ダイヤル上部３５の外側縁部から基部４０方向に下垂するように設けられ、内側壁部３７は、ダイヤル上部３５の内側縁部から基部４０方向に下垂するように設けられている。内側壁部３７及び外側壁部３６は基部４０の上面と所定の空間を保つ長さで形成されている。前述のように、内側壁部３７の一部は、ハウジング３３の外側支持部４１に回転可能に支持されている。また、外側壁部３６は、使用者がダイヤルスイッチ１８を操作する際に指でつかむ側面操作部４４を構成する。この構成において、使用者が側面操作部４４をつかみ回転させることにより、ダイヤルスイッチ１８は、基部中心点４３と回転中心線とが正面視で一直線上に並んだ状態で回転する。また、基部中心点４３と回転中心線とは、正面視で誤差の程度で異なっている場合を含む。
【００２５】
回転電極部３０は、連結部３１を介して内側壁部３７に設置されている。操作部１６が取り付けられた状態において回転電極部３０は、表示面１１における指または操作部１６による操作があったと判断される第二閾値よりも大きい静電容量値を生じる位置に設置される。具体的には、内側壁部３７の外側壁部３６に対向した面である外向面４６に設置されている。なお、回転電極部３０の設置位置は内側壁部３７の基部４０に対向したダイヤル下面４５であってもよいし、あるいは、外向面４６の裏面にあたる内向面４７下部分であってもよい。連結部３１は内側壁部３７と一体的に形成されてもよいし、別々の部材で形成されてもよい。回転電極部３０の大きさは、内側支持部４２の外側面から外側支持部４１の内側面の間に収まる大きさで形成される。回転電極部３０は、ダイヤルスイッチ１８の回転に連動して、前述の回転中心線の周りを回転する。そのため、回転電極部３０及び連結部３１は、基部４０の上面に当接しないような所定の空間を保って内側壁部３７に設置されている。
【００２６】
ダイヤルスイッチ１８、連結部３１、回転電極部３０は、導電性材料、例えば、金属、導電性樹脂で形成されている。なお、ダイヤルスイッチ１８、連結部３１、回転電極部３０は同一の材料で形成されてもよいし、別の材料で形成されてもよい。導電性材料で形成されているので、ダイヤルスイッチ１８と回転電極部３０とは連結部３１を介して互いに電気的に接続されている。静電容量検出部１４はダイヤルスイッチ１８の回転操作に応じた回転電極部３０の回転移動の位置を検出する。
【００２７】
プッシュスイッチ１７はプッシュ上部３８及び突起部３９を含む。プッシュ上部３８は、正面視で円形平板状に形成されており、ダイヤルスイッチ１８に取り囲まれるように配置されている。突起部３９はプッシュ上部３８の下面から基部４０方向に突設される。突起部３９は円柱状に形成されており、その直径はプッシュ上部３８の直径よりも小さい。前述のように、突起部３９は内側支持部４２の内側面において上下方向に移動可能に支持されている。プッシュ上部３８と突起部３９は一体的に形成されてもよいし、別々に形成されてもよい。このような構成において、使用者がプッシュ上部３８の押動操作を行うと、プッシュスイッチ１７は表示面１１に対し略垂直な方向に押し下げられる。使用者による押動操作により押し下げられたプッシュスイッチ１７は、そのまま押し下げられた状態を維持してもよいし、図示しない弾性部材、例えばゴムやバネが設けられることで元の状態に戻るよう上昇するようにしてもよい。
【００２８】
押し下げ電極部３２は、突起部３９の下面の中央部分に表示面１１に対向した状態で設けられている。押し下げ電極部３２の大きさは、基部４０の内側支持部４２の環状形状に収まる大きさで形成される。プッシュスイッチ１７が表示面１１に取り付けられた時、プッシュスイッチ１７に形成された押し下げ電極部３２により静電容量の変化が生じ、プッシュスイッチ１７が表示面１１に取り付けられたことが検出される。そのため、押し下げ電極部３２は、使用者による押動操作がない状態でプッシュスイッチ１７が取り付けられたと静電容量検出部１４により検出されるために必要な第一閾値以上の静電容量値を生じさせる大きさ及び距離で設計されている。つまり、表示面１１へ取り付けただけの状態でプッシュスイッチ１７が生じさせる静電容量値が第一閾値以上となるように設計されている。
【００２９】
押し下げ電極部３２は押動操作がなされていない状態においては、表示面１１にプッシュスイッチ１７が取り付けられたと検知される第一閾値よりも大きく、かつ、表示面１１における操作があったと判断される第二閾値よりも小さい第一静電容量値が生じる。静電容量検出部１４は、第一静電容量値を検出することで、プッシュスイッチ１７の位置を検出することができる。使用者によるプッシュスイッチ１７の押動操作が行われると、押し下げ電極部３２は表示面１１に近づく。押し下げ電極部３２が表示面１１に近づくと、表示面１１と押し下げ電極の距離が近づくため、静電容量値が増加し第二閾値を超える第二静電容量値が生じる。静電容量検出部１４は第二静電容量値を検出することで、プッシュスイッチ１７が使用者により操作されたことを検出する。
【００３０】
回転電極部３０及び押し下げ電極部３２の基部４０に対向する面の電極形状は、図５に示すように大きさの異なる三角形である。なお、回転電極部３０及び押し下げ電極部３２の形状は、三角形以外の矩形、円形または十字型といった静電容量式電極部１３で検出可能な形状であればどのような形状であってもよい。また、押し下げ電極部３２においては複数の電極から形成されていてもよい。その際、電極形状は図６のように操作部１６毎に１種類であってもよいし、図７のように三角形の電極と四角形の電極を組み合わせるといった複数の形状の電極を組み合わせてもよい。
【００３１】
次に、表示装置１０の電気的構成について図８を参照して説明する。表示装置１０は操作パネル１２、静電容量検出部１４及び制御部１９を備える。制御部１９は、所定のプログラムが記憶されたメモリと、そのプログラムに従って演算処理するプロセッサと、入力処理回路及び出力処理回路を有する。プロセッサは、電極検出部２０、位置判断部２１、算出部２２、変化検出部２３、死角制御部２４、画像制御部２５、記憶部２６、操作指示部２７及び設定部２８として機能する。前述のように、車両には車室内の温度を調節する空調装置５、スピーカーを通して車室内に音楽を流すオーディオ装置７及び使用者に自車の位置情報や経路を案内するナビゲーション装置６が搭載されている。各種装置はそれぞれの装置の機能を制御する機能制御部（図示しない）を有し、表示装置１０の制御部１９は、各種装置の機能制御部と接続されている。
【００３２】
操作パネル１２の表示面１１に取り付けられた操作部１６の使用者による操作は静電容量検出部１４に検出され、静電容量値または領域形状として制御部１９に出力される。制御部１９に入力された静電容量値または領域形状をもとに、操作指示部２７は、各種装置の機能制御部に操作指示を出力する。また、画像制御部２５は、使用者による操作、つまり、機能制御部への操作指示内容に応じて周囲画像情報６０ａを生成し、生成した周囲画像情報６０ａを表示面１１に表示させる。
【００３３】
前述のように、車両左右方向において、表示装置１０が運転席１の左側に配置されている。そのため、運転席１に着座した使用者は、表示面１１の正面に対し右側にずれた方向から表示面１１を視認する。そのため、図３のように操作部１６の周囲に複数の数字画像６１が弧状に並べて表示された場合には、図９のように数字画像６１ａ、６１ｂ及び６１ｃは網点部分のような操作部１６による死角６６に隠れて表示される。ここで言う死角６６とは、操作部１６があることにより使用者が見ることができない空間を意味する。つまり、使用者からは、図９のように、作動状態を表す数字画像６１の一部が見えない位置に表示される。
【００３４】
これを防ぐため、使用者からの表示装置１０への視線角度と操作部１６の取り付け位置とから、操作部１６の周囲に表示される操作内容を変更する制御が制御部１９により実行される。図１０は死角６６の表示制御の処理が行われる手順を示すフローチャートである。図１０の処理はメモリに記憶されたプログラムに従って制御部１９のプロセッサで表示装置１０が起動した時点から所定周期で処理される。
【００３５】
まず、図１０のステップＳ１０においては、静電容量検出部１４により、表示面１１の静電容量の変化が検出される。そして、検出された静電容量に所定量以上の変化があるかが変化検出部２３により判断される。静電容量に変化があった場合には、静電容量値や領域形状が電極検出部２０へ送られ、ステップＳ１１に移行する。一方、静電容量の変化が検出されなかった場合においては、ステップＳ１２に移行し、記憶部２６に記憶された前回の周囲画像情報６０ａの表示を維持し処理が終了する。
【００３６】
ステップＳ１１では電極検出部２０が電極の形状または電極数を検出する。まず初めに、電極検出部２０は静電容量の変化が使用者の指先の操作によるものか、操作部１６によるものかの区別を行う。この区別の方法としては、領域形状から判断する。使用者が指先で表示面１１をタッチする場合、表示面１１の領域形状は略円形である。そのため、操作部１６の回転電極部３０や押し下げ電極部３２の電極形状を円形以外の形状で形成し、領域形状が略円形である場合には指先、それ以外の矩形状や三角形であれば操作部１６の電極であると判定する。
【００３７】
ステップＳ１１で静電容量の変化が指によるものと判断された場合にはステップＳ１４に移行し指による操作と決定して処理が終了する。
【００３８】
一方、ステップＳ１１で領域形状が円形以外であると判断された場合にはステップＳ１３へ移行する。つまり、ステップＳ１１で静電容量の変化が操作部１６によるものと判断された場合には、領域形状の形状から回転電極部３０や押し下げ電極部３２の電極形状、電極数及び電極の大きさといったそれぞれの電極の特徴が検出されステップＳ１３に移行する。
【００３９】
続くステップＳ１３では、電極検出部２０の検出結果に基づき、表示面１１における操作部１６の取り付け位置を判断する位置判断部２１により操作部１６の位置が判断される。具体的には、位置判断部２１は、ステップＳ１０で静電容量に所定量以上の変化があったと判断され、かつ、ステップＳ１１で操作部１６によるものと判断された静電容量の変化が生じた位置に基づき操作部１６の取り付け位置を判断する。
【００４０】
ステップＳ１５では、電極検出部２０及び位置判断部２１で検出された値から操作部１６で操作可能な機能を設定する。操作部１６への機能の設定は、図８に示す設定部２８が行う。設定部２８は、表示面１１で操作部１６により操作可能な操作内容のうちの一つを操作部１６の機能として設定する。つまり、着脱可能な各操作部１６が表示面上で、空調装置５、オーディオ装置７、あるいはその他の装置のうちどの装置の操作部１６になるかは、操作部１６の電極型により決まる。電極型とは、回転電極部３０や押し下げ電極部３２における電極形状、電極数、電極の大きさまたはそれらの組み合わせから形成される。図１１は電極型ごとに操作部１６の機能が設定される一例を表す。一つ一つの電極型と機能との組み合わせはあらかじめ記憶部２６に記憶されており、電極検出部２０により検出された電極型に該当する機能が、それぞれの操作部１６の機能として設定される。さらに、操作部１６の大きさや高さといった形状についての情報も電極型によってあらかじめ記憶部２６に記憶させておいてもよい。
【００４１】
次にステップＳ１６では、ステップＳ１３で判断された取り付け位置とステップＳ１１で検出された電極型とが前回検出された値と変わっているかを比較する。前回と変わっていない場合には、ステップＳ１２に移行し、画像制御部２５に前回と同じ位置に同じ周囲画像情報６０ａを表示面１１に表示するよう指示信号を送り、処理を終了する。
【００４２】
一方、取り付け位置または電極型が前回と異なる場合には、ステップＳ１７に移行する。ステップＳ１７では、表示面１１で操作部１６により使用者の死角６６となる死角領域６５を算出する算出部２２で死角領域６５を算出する。死角領域６５とは、使用者が見ることができない空間である死角６６を表示面１１上に投影した場合の２次元の平面領域を意味する。算出部２２は、記憶部２６に記憶された使用者の視線位置のデータと、位置判断部２１により検出された操作部１６の取り付け位置とから、死角領域６５を算出する。死角領域６５の算出方法としては、操作部１６の位置が変更されるたびに操作部１６と視線位置のデータから演算してもよい。あるいは、表示面１１を複数の区画に分け、それぞれの区画に取り付けられた場合の死角６６をあらかじめマップデータとして記憶部２６に記憶させておいてもよい。
【００４３】
続いて、算出された死角領域６５、電極検出部２０により検出された操作部１６の機能及び位置判断部２１により判断された操作部１６の取り付け位置に応じて、死角制御部２４が表示する周囲画像情報６０ａの変更を行う。周囲画像情報６０ａのうち少なくとも操作部１６を操作することで選択した操作内容を報知する操作画像情報６３の一部については、死角領域６５を避けて表示するために死角制御部２４が死角領域６５の周囲画像情報６０ａの変更を行う。操作画像情報６３は、使用者が操作内容を正確に認識するために必要な周囲画像情報６０ａを示す。具体的には、ダイヤルスイッチ１８の物理量を表す数字画像６１のうち選択している数字又はプッシュスイッチ１７のオン／オフといった指示画像６２等がである。死角制御部２４は、操作画像情報６３を死角領域６５と重ならない位置に表示するよう画像制御部２５に対して信号を送る。変更を行って表示する際には、操作画像情報６３全体が死角領域６５に重ならなくなる位置までずらしてもよいし、操作画像情報６３の一部が死角領域６５と重なってもよいものとする。
【００４４】
具体的な周囲画像情報６０ａとしては、ダイヤルスイッチ１８においては、図１２に示すように操作部１６と数字画像６１との距離は変えず、また、周囲画像情報６０ａの種類も変更せずに表示位置を移動させる変更を行う。つまり、図９で操作部１６の死角６６に隠れて表示される可能性があった数字画像６１ａ、６１ｂ、６１ｃが死角領域６５を避けて表示されるよう、操作部１６の中心である基部中心点４３を中心に数字画像６１の表示位置を９０度ほど時計まわりに回転させる。こうすることで、死角領域６５に表示される可能性があった数字画像６１ａ、６１ｂ、６１ｃはすべて死角領域６５を避けて表示される。
【００４５】
なお、ステップＳ１４で静電容量の変化が指によるものと決定した場合には、指の接触位置に応じて表示装置に接続された各種装置の機能制御部へ操作指示部２７が操作指示を出力する。
【００４６】
以上説明したように、本実施形態の表示装置１０は、操作部１６の取り付け位置に応じて、表示面１１上で操作部１６により使用者の死角６６となる死角領域６５を算出する。そして、算出された結果をもとに、周囲画像情報６０ａのうち使用者に操作内容を報知する操作画像情報６３のうち少なくとも一部については、死角領域６５を避けた位置に表示する制御を行う。そのため、操作部１６により死角６６が生じる場合においても、操作画像情報６３は使用者が認識可能な領域に表示されることとなり、従来と比べ使用者は必要な情報を認識しやすくなる。
【００４７】
また、電極型により操作部１６の操作内容を決定することにより、操作部１６の表示面１１への取り付け位置に制限がなく、使用者が好きな場所に取り付けることが可能である。さらに、操作部１６に設定する操作内容においても、電極型の種類の数だけ設定することができるため、多様な操作内容を設定することができる。
【００４８】
（第２実施形態）
第２実施形態の表示装置１０は、操作部１６の機能を設定する際に用いる検出値が前述の第１実施形態と異なる。つまり、本実施形態では、第１実施形態における図１０のステップＳ１５のみが異なっている。第１実施形態では、操作部１６に設定部２８が機能を設定する際、設定部２８は操作部１６の操作内容を操作部１６の電極型に基づき設定している。一方、本実施形態においては、操作部１６の機能は、操作部１６が表示面１１のどの位置に取り付けられたかによって設定される。なお、図１〜４に示すハード構成については、本実施形態は前述の第１実施形態と同一である。
【００４９】
図１０において、第２実施形態のステップＳ１５では、操作部１６の操作内容の設定を行う。各操作部１６が表示面１１上で、空調装置５の操作部１６になるか、あるいはその他の装置の操作部１６になるかは、あらかじめ区分された表示面１１の区画のどこに操作部１６が取り付けられるかで操作部１６の機能が設定される。具体的には、表示面１１は、表示面１１の長手方向中心を通る境界線と、短手方向中心を通る境界線とで４つの区画にあらかじめ分けられている。どの区画に操作部１６が取り付けられたかは、位置判断部２１による判断結果に基づいて位置推定部２９が推定する。図１３のように表示面１１に第一操作部１６ａと第二操作部１６ｂとが取り付けられたときには、位置推定部２９の推定結果とあらかじめ記憶部２６に記憶された区画ごとの機能設定とに基づき、操作内容が設定される。図１３において、表示面１１は、温度調節ダイヤルエリア、風量調節ダイヤルエリア、吹出口調節ダイヤルエリア、オーディオ音量調節ダイヤルエリアの４つの区画に分けられている。そのため、第一操作部１６ａはオーディオ装置７の音量調節機能が設定され、第二操作部１６ｂには温度調節機能が設定される。換言すると、使用者は、操作部１６に設定したい機能に合わせて、あらかじめ区分された表示面１１の区画のうちどの区画に操作部１６を取り付けるかを決定する。
【００５０】
以上により、本実施形態によれば、少なくとも１つ以上の区画に区分された表示面１１のうち、どの区画に操作部１６が取り付けられたかを位置判断部２１の判断結果に基づき位置推定部２９が推定する。推定結果に基づきあらかじめ決められた区画ごとの操作内容を操作部１６の操作内容として設定する。仮に本実施形態に反して、操作部１６の操作内容が操作部１６の形状等の情報をもとに設定される場合には、使用者が使用したい操作内容の種類数分の操作部１６が必要となる。しかしながら、本実施形態によれば、使用者は一つの操作部１６の取り付け位置を変更するだけで複数の操作内容を操作することが可能である。つまり、使用者は一つの操作部１６を所持していればどのような操作内容を設定するかを自由に選択することができる。
【００５１】
（第３実施形態）
使用者により着脱可能な操作部１６は、図１４の第一操作部１６ａと第二操作部１６ｂとのように表示面１１に近接して複数個取り付けられることもある。複数個の操作部１６のうち、より使用者に近い第一操作部１６ａの死角６６ａは第一操作部１６ａの周囲画像情報６０ａの数字画像６１ｇと重なるだけでなく、使用者から見て第一操作部１６ａの奥側に取り付けられた第二操作部１６ｂの数字画像６１ｐとも重なる。また、第二操作部１６ｂの数字画像６１ｌ、６１ｍは第二操作部１６ｂによる死角６６ｂに表示される。本実施形態においては、操作部１６が複数個近接して取り付けられた場合を考慮した死角領域６５を算出し、表示を変更する表示制御手段を備える。以下、当該手段について、図１６のフローチャートを用いて説明する、なお、本実施形態では、図１０に示す死角領域６５表示処理を図１６の如く変更したものであり、図１〜４に示すハード構成については、本実施形態は前述の第１実施形態と同一である。そのため、第１実施形態と共通する部分についての説明は第１実施形態を参照できる。
【００５２】
図１６のステップＳ１０からステップＳ１７までは、第１実施形態における図１０のステップＳ１０からステップＳ１７と同様の処理を行う。
【００５３】
ステップＳ１６で電極の位置と電極型とに変更があった場合にはステップＳ２７に移行する。ステップＳ２７では、複数の操作部１６の電極が検出されている場合に、それらが近接する位置に取り付けられているかを近接判断部５１が判断する。近接する位置とは、図１４のように第二操作部１６ｂの周りに表示される周囲画像情報６０ａが、第一操作部１６ａの周りに表示される機能や操作内容を示す周囲画像情報６０ａと第一操作部１６ａの死角６６ｂとのうち少なくとも一部と重なる位置をいう。つまり、一方の操作部１６の死角６６及び周囲画像情報６０ａが他の操作部１６の周囲画像情報６０ａへ影響する可能性がある距離といえる。ステップＳ２７で、操作部１６同士が近接していると判断された場合においては、ステップＳ２８に移行する。
【００５４】
ステップＳ２８では、まず第一操作部１６ａおよび第二操作部１６ｂの死角領域６５を算出する。第一操作部１６ａの死角領域６５は、前述の実施形態と同様に第一操作部１６ａの死角６６ａとして算出され、周囲画像情報６０ａの表示の変更が行われる。一方、第二操作部１６ｂの死角領域６５は、図１５のように第一操作部１６ａの死角６６ａと第二操作部１６ｂの死角６６ｂとを合わせた領域として算出部２２により算出される。算出された死角領域６５と第一操作部１６ａの取り付け位置とを避けるように死角制御部２４は第二操作部１６ｂの表示位置の変更を行い処理が終了する。
【００５５】
死角制御部２４による第二操作部１６ｂの周りに表示される周囲画像情報６０ａの具体的な表示制御について図１４と図１５とを用いて説明する。図１４のように数字画像６１ｌ、６１ｍ及び６１ｐが第二操作部１６ｂの死角領域６５へ表示されるのを避けるため、第二操作部１６ｂの周囲に表示される複数の数字画像６１は、基部中心点４３を中心に反時計回りに回転移動した位置に表示される。この制御により数字画像６１ｐが第一操作部１６ａの死角６６ａに表示されるのを避ける。加えて、図１５のように数字画像６１ｌ、６１ｍが死角６６ｂに表示されるのを避けるため、図１５のように数字画像６１ｌ、６１ｍの距離と操作部１６との距離を離す。つまり、数字画像６１ｌ、６１ｍを基部中心点４３から遠ざかる位置に移動させて表示する。
【００５６】
一方、ステップＳ２７で操作部１６が近接していないと判断された場合には、ステップＳ２９に移行し、図１０のステップＳ１７と同様にして死角領域６５を算出し表示位置の変更を行う処理を終了する。
【００５７】
本実施形態では、第一操作部１６ａと第二操作部１６ｂとが近接して取り付けられた場合、算出部２２で算出される第二操作部１６ｂの死角領域６５は、第二操作部１６ｂによる死角６６ｂと第一操作部１６ａによる死角６６ａとを合わせた領域として算出される。これにより、使用者により複数の操作部１６が近接した位置に取り付けられた場合においても、それぞれの操作部１６ａ、１６ｂによる死角６６ａ、６６ｂを考慮して周囲画像情報６０ａが変更される。そのため、操作画像情報６３が死角領域６５に表示されることを防ぐことができ、使用者は操作画像情報６３を正しく認識することができる。同時に、複数の操作部１６を表示面１１に取り付ける際に、使用者は、操作画像情報６３が見づらくなるということを考慮しなくともよくなるため、自由に取り付け位置を決めることが可能である。
【００５８】
（その他の実施形態）
以上、本発明の好ましい実施形態について説明したが、本発明は前述した実施形態に何ら制限されることなく、本発明の主旨を逸脱しない範囲において種々変形して実施することが可能である。
【００５９】
前述の実施形態の構造は、あくまで例示であって、本発明の範囲はこれらの記載の範囲に限定されるものではない。本発明の範囲は、特許請求の範囲の記載によって示され、さらに特許請求の範囲の記載と均等の意味及び範囲内での全ての変更を含むものである。
【００６０】
例えば、上記各実施形態に対して、操作パネル１２は投影型でなく表示型であってもよい。
【００６１】
上記各実施形態に関しては、透明フィルム部材やガラス基盤の使用者側に静電容量式電極部１３が保持され、その上に樹脂フィルムが張り付けられた操作パネル１２であった。しかし、透明フィルム部材やガラス基盤の反使用者側に静電容量式電極部１３が保持されている操作パネルであって、樹脂フィルムが貼り付けられていない操作パネルであってもよい。そのような場合には、透明フィルム部材またはガラス基盤の表面が表示面１１に該当する。つまり、表示面１１とは、使用者側に露出され、使用者がタッチ操作可能な面を示す。
【００６２】
上記各実施形態に対して、操作部１６はプッシュスイッチ１７とダイヤルスイッチ１８との両方を備える構造であったが、どちらか一方のみを備える構造であってもよい。これにより、操作部１６をより小型化することが可能である。
【００６３】
また、上記各実施形態では、図１０のステップＳ１１に係る電極検出部２０は、領域形状に基づき、指の操作と操作部１６の操作との区別を行っている。これに対し、静電容量の変化値である静電容量値から上記区別を行ってもよい。以下、静電容量値から区別する手法の一例を説明する。
【００６４】
指が表示面１１に接していない場合には、静電容量値はプッシュスイッチ１７が取り付けられたと判断される第一閾値より小さい値である。一方、指でタッチ操作を行うことで表示面１１に指が接触した場合には、静電容量値は、表示面１１における操作があったと判断される第二閾値以上となる。そのため、第一閾値より小さい値から第二閾値以上への静電容量値が検出された場合には指による操作と判断する。一方、プッシュスイッチ１７が表示面１１に取り付けられた状態では、第一閾値以上で第二閾値より小さい静電容量値が生じる。そのため、第一閾値以上で第二閾値より小さい静電容量値が所定時間以上継続して検出された場合にはプッシュスイッチ１７が取り付けられていると判断する。また、ダイヤルスイッチ１８は表示面１１に取り付けられている状態においては、常に第二閾値よりも大きい静電容量値が生じる。そのため、第二閾値よりも大きい静電容量値が所定時間以上継続して検出された場合には、ダイヤルスイッチ１８が取り付けられていると判断する。
【００６５】
第一閾値と第二閾値とに対し静電容量値を比較することにより、指による操作と操作部１６による操作とを区別することができる。同時に、プッシュスイッチ１７による操作とダイヤルスイッチ１８による操作とも区別可能である。
【００６６】
一方で、ダイヤルスイッチ１８を操作した際には、回転電極部３０はダイヤルスイッチ１８の回転に伴って、表示面１１上を移動する。そのため、使用者がダイヤルスイッチ１８を回転させ所定の回転角度で停止させた場合には、回転電極部３０が停止した地点の静電容量値は第一閾値より小さい値から第二閾値以上の値となる。つまり、第一閾値と第二閾値とに対し静電容量値を比較するだけでは、回転電極部３０が移動した直後に回転電極部３０が生じさせる静電容量値と、指による操作が行われた際に生じる静電容量値とを区別することが困難である。そのため、回転電極部３０の操作と指による操作とを区別するために、第二閾値よりも静電容量値が大きい第三閾値を設定する。回転電極部３０には、第三閾値よりも大きな静電容量値を常に生じさせることが可能な電極を用いる。これにより、第三閾値よりも大きな静電容量値が検出された時には回転電極部３０による操作と判断することが可能である。
【００６７】
また、操作部１６の操作内容は使用者により自由に設定できるものとしてもよい。その場合には、操作部１６が表示面１１のどこに取り付けられているかを位置判断部２１が検出する。使用者は、あらかじめ記憶部２６に記憶された多数の操作内容の一覧から位置判断部２１に検出された操作部１６に設定する操作内容を選択することができる。これにより、同じ操作部１６及び同じ取り付け位置であっても、使用者がどの操作内容を設定するかで操作部１６の操作内容を自由に変更することができる。
【００６８】
また、第１実施形態の表示制御では、表示面１１に操作部１６が一つしか取り付けられていない状態として図１０の処理を説明したが、表示面１１に複数の操作部１６が取り付けられていてもよい。その場合には、複数の操作部１６により生じる死角が、それぞれの操作部１６の死角領域６５として算出される。つまり、一つの操作部１６の死角領域６５は、表示面１１に取り付けられた複数の操作部１６の死角６６をすべて合わせた領域として算出される。
【００６９】
また各実施形態では、表示制御として図１７に示すように、選択している操作画像情報６３のみが死角領域６５の外に飛び出るポップアップ式を用いてもよい。この場合、選択している操作画像情報６３、つまり数字画像６１ｂのみが死角領域６５を避けて表示される。この際、数字画像６１ｂの全体が死角領域６５の外に表示されてもよいし、一部が死角領域６５に重なっていてもよい。一部が重なっている場合、使用者が認識できると想定される範囲で重なっていることが望ましい。仮に、操作画像情報６３をポップアップ式にしない場合、使用者は選択された操作画像情報６３を認識するために、操作部１６に取り付けられた目印１６０と表示面１１に表示されている周囲画像情報６０ａとの対応を確認しなければならない。しかしながら、操作画像情報６３をポップアップ式にすることにより、他の周囲画像情報６０ａよりも使用者が選択している操作画像情報６３を目立たせることができる。そのため、使用者は周囲画像情報６０ａを確認するのみで選択している内容を認識することが可能である。
【００７０】
また図１８のように、操作画像情報６３である数字画像６１ｂのみでなく、死角領域６５に表示されている数字画像６１ａ、６１ｂ、６１ｃのすべての表示位置を死角領域６５の外に表示してもよい。その場合には、操作部１６の中心である基部中心点４３と数字画像６１とを結んだ仮想直線の延長線上において操作部１６から遠ざかる方向にずらして表示するとよい。
【００７１】
その他には、図１９のように操作部１６の周囲に弧状に並んだ複数の数字画像６１のすべてを基部中心点４３から遠ざかる方向に移動させ、さらに、数字画像６１と操作部１６の間に、それぞれの数字画像６１に対応する位置に目盛画像６４を表示してもよい。
【００７２】
このように、目盛画像６４を表示することにより、死角領域６５に表示される可能性があった数字画像６１ａ、６１ｂ、６１ｃは死角領域６５の外に表示される。さらに、死角領域６５を考慮したことにより、操作部１６から離れた位置に数字画像６１が表示されたとしても、目盛画像６４により使用者は目盛に沿って数字画像６１まで視線が誘導される。そのため、使用者は数字画像６１を認識しやすい。
【００７３】
プッシュスイッチ１７の周囲に表示された指示画像６２においては、例えば表示位置と操作部１６との距離は変えずに、基部中心点４３を挟んで死角領域６５とは１８０度反対の位置に表示してもよい。あるいは、表示位置を操作部１６から遠ざかる方向にずらすことで死角領域６５の外に表示するようにしてもよい。
【符号の説明】
【００７４】
１０    車両用表示装置、１１    表示面、１２    操作パネル、
１６、１６ａ、１６ｂ    操作部、２０    電極検出部、２１    位置判断部、
２２    算出部、２４    死角制御部、２８    設定部、２９    位置推定部、
３０、３２    電極、３４    接続部、６０    画像、６０ａ    周囲画像情報、
６３    操作画像情報、６４    目盛画像
【図１】
2018004493.tif 000003
【図２】
2018004493.tif 000004
【図３】
2018004493.tif 000005
【図４】
2018004493.tif 000006
【図５】
2018004493.tif 000007
【図６】
2018004493.tif 000008
【図７】
2018004493.tif 000009
【図８】
2018004493.tif 000010
【図９】
2018004493.tif 000011
【図１０】
2018004493.tif 000012
【図１１】
2018004493.tif 000013
【図１２】
2018004493.tif 000014
【図１３】
2018004493.tif 000015
【図１４】
2018004493.tif 000016
【図１５】
2018004493.tif 000017
【図１６】
2018004493.tif 000018
【図１７】
2018004493.tif 000019
【図１８】
2018004493.tif 000020
【図１９】
2018004493.tif 000021